(57)【要約】【課題】構造の簡略化、虫を誘引可能な範囲の拡大化、回収した捕虫シートの取扱性の改善を図ることができるようにすること。【解決手段】虫を誘引する誘引手段１２と、誘引手段１２の近傍に繰り出される捕虫シート１１と、この捕虫シート１１を繰り出し可能に保持する保持手段１３とを備えて捕虫器１０が構成されている。捕虫シート１１は、帯状をなす基材シート１１Ａと、この基材シート１１Ａの一方の面に積層された接着剤層１１Ｂと、この接着剤層１１Ｂによって仮着された剥離シート１１Ｃとを備えている。保持手段１３は、捕虫シート１１から剥離シート１１Ｃを剥離する剥離手段２６と、この剥離手段２６により剥離された剥離シート１１Ｃと使用済みの基材シート１１Ａとを巻き取り可能に設けられた単一の巻取軸３７を有する回収手段２７とを備え、誘引手段１２の前後両面側に接着剤層１１Ｂを表出する。巻取軸３７は、接着剤層１１Ｂに剥離シート１１Ｃを再度仮着して巻き取りを行う。【選択図】図２
2008193942.tif 000002
【特許請求の範囲】
【請求項１】
虫を誘引する誘引手段と、前記誘引手段の近傍に繰り出される捕虫シートと、この捕虫シートの繰り出しを許容し当該捕虫シートを保持する保持手段とを備えた捕虫器において、
前記捕虫シートは、帯状をなす基材シートと、この基材シートの一方の面に積層された接着剤層と、この接着剤層によって仮着された剥離シートとを含む少なくとも３層構造の積層シートであって、
前記保持手段は、前記捕虫シートから剥離シートを剥離する剥離手段と、この剥離手段により剥離された剥離シートと使用済みの基材シートとを巻き取り可能に設けられた単一の巻取軸を有する回収手段とを備えていることを特徴とする捕虫器。
【請求項２】
前記巻取軸は、使用済みの基材シートの接着剤層に剥離シートを再度仮着し、これらを同時に巻き取ることを特徴とする請求項１記載の捕虫器。
【請求項３】
前記保持手段は、前記誘引手段を挟む異なる二面に接着剤層を表出可能に設けられていることを特徴とする請求項１又は２記載の捕虫器。
【発明の詳細な説明】
【技術分野】
【０００１】
本発明は、捕虫器に係り、更に詳しくは、効率良く捕虫を行うことができる捕虫器に関する。
【背景技術】
【０００２】
従来より、例えば、食品や粘着シート、精密機械等の製品に虫が混入することを防止するために捕虫器が利用されている（特許文献１参照）。特許文献１の捕虫器は、捕虫用の光源と、この光源の周りに掛け回された粘着シートとを備えている。粘着シートは、ロール状に巻回された状態から光源の近傍に繰り出されて停止した状態で光源に誘引された虫を捕獲し、その後、再度繰り出しを行うことで回転軸にロール状に巻き取られて回収される。
【特許文献１】実開平３−４１５８４号公報
【発明の開示】
【発明が解決しようとする課題】
【０００３】
しかしながら、特許文献１にあっては、粘着シートが光を通すために透明となるので、回転軸に巻き取られたロール状の粘着シートに捕獲された多数の虫が見えることとなる。このため、回収した粘着シートを廃棄する際、巻き取った粘着シートが不衛生な印象となり、廃棄する作業者に不快感を付与して作業性を損なう、という不都合がある。
【０００４】
ところで、本出願人は、捕虫シートの基材シートから剥離シートを剥離及び回収して接着剤層を表出するとともに、捕虫を終えた使用済みの基材シートを回収する捕虫器を提案した（特願２００６−２７４３５０号）。この捕虫器では、剥離シートの巻取軸と基材シートの巻取軸とが別個独立して設けられた構造となっており、当該構造の簡略化を図る要請がある他、捕虫シートにより虫を捕獲できる領域を拡大化する要請がある。
【０００５】
［発明の目的］
本発明は、前述の不都合に着目しつつ前記要請に対応するように案出されたものであり、その目的は、構造の簡略化、虫を誘引可能な範囲の拡大化を図ることができ、回収した捕虫シートの取扱性を改善することができる捕虫器を提供することにある。
【課題を解決するための手段】
【０００６】
前記目的を達成するため、本発明は、虫を誘引する誘引手段と、前記誘引手段の近傍に繰り出される捕虫シートと、この捕虫シートの繰り出しを許容し当該捕虫シートを保持する保持手段とを備えた捕虫器において、
前記捕虫シートは、帯状をなす基材シートと、この基材シートの一方の面に積層された接着剤層と、この接着剤層によって仮着された剥離シートとを含む少なくとも３層構造の積層シートであって、
前記保持手段は、前記捕虫シートから剥離シートを剥離する剥離手段と、この剥離手段により剥離された剥離シートと使用済みの基材シートとを巻き取り可能に設けられた単一の巻取軸を有する回収手段とを備える、という構成を採っている。
【０００７】
本発明において、前記巻取軸は、使用済みの基材シートの接着剤層に剥離シートを再度仮着し、これらを同時に巻き取る、という構成が好ましくは採用される。
【０００８】
また、前記保持手段は、前記誘引手段を挟む異なる二面に接着剤層を表出可能に設けられる、という構成を採ることが好ましい。
【発明の効果】
【０００９】
本発明によれば、使用済みの基材シートと剥離シートとを巻き取る巻取軸を単一としたので、回収手段の構造の簡素化やコンパクト化を図ることができ、且つ、これらシートを単一のロール体として回収でき、廃棄作業の負担を軽減することが可能となる。
【００１０】
また、使用済みの基材シートの接着剤層に剥離シートを再度仮着して巻き取るので、巻き取られたロール状の捕虫シートにおいて、捕獲された多数の虫を剥離シートにより隠して見えないようにすることができる。これにより、従来のように、不衛生な印象や不快感を付与することを防止することができ、廃棄等の作業性を向上させることが可能となる。
【００１１】
更に、誘引手段を挟む異なる二面に捕虫シートの接着剤層が表出されるので、捕虫を行う範囲の拡大化を図ることができ、より効率的に虫を捕獲することが可能となる。
【発明を実施するための最良の形態】
【００１２】
以下、本発明の好ましい実施の形態について図面を参照しながら説明する。
なお、本明細書及び特許請求の範囲において、「未使用」とは、接着剤層を表出する前の状態を意味する他、捕虫を行うべく接着剤層を表出した直後の状態も意味する。また、「使用済み」とは、捕虫を行った後の状態を意味する他、虫が捕獲されていない状態であっても、所定期間捕虫の用に供した状態も意味する。
更に、本明細書の方向若しくは位置を示す用語は、特に明示しない限り、図２中矢印Ａ方向から見た場合を基準とし、「前」とは矢印Ａ方向から見た場合の手前側を示す一方、「後」とは、同奥行き側について用いられる。
【００１３】
図１には、本実施形態に係る捕虫器の概略正面図が示され、図２には、図１のＢ−Ｂ線に沿う断面図が示されている。これらの図において、捕虫器１０は、虫を捕獲するための捕虫シート１１と、この捕虫シート１１に沿って位置する誘引手段１２と、捕虫シート１１の繰り出しを許容し保持可能に設けられた保持手段１３と、誘引手段１２と捕虫シート１１との間に設けられた案内手段１５とを備えて構成されている。
【００１４】
前記捕虫シート１１は、ロール状に巻回された状態から誘引手段１２の近傍における後方を通過するように下方に繰り出された後、誘引手段１２の前方を通過するように上方に繰り出されるようになっている。捕虫シート１１は、図３（Ａ）及び（Ｂ）に示されるように、帯状をなす基材シート１１Ａと、この基材シート１１Ａの一方の面（図３（Ｂ）中上面）に積層された接着剤層１１Ｂと、この接着剤層１１Ｂによって仮着された剥離シート１１Ｃとを備えた３層構造となっている。基材シート１１Ａの繰り出し方向に沿う両端、すなわち、図３中左右両端に沿う位置には、前記接着剤層１１Ｂを積層しない非接着領域１１Ｄがそれぞれ設けられている。
【００１５】
前記誘引手段１２は、図２に示されるように、図示しない電力源に接続される蛍光灯１８により構成されている。蛍光灯１８は、脚部材２０から立設された左右一対の側面フレーム２１、２２のうち、右側の側面フレーム２１に支持されている。なお、蛍光灯１８は、虫を誘引可能な波長の光、例えば紫外線を発光するものが好ましい。
【００１６】
前記保持手段１３は、ロール状に巻回された捕虫シート１１を支持する支持手段２５と、この支持手段２５の近傍に設けられた剥離手段２６及び回収手段２７と、支持手段２５及び回収手段２７に連結され、支持手段２５から回収手段２７に基材シート１１Ａ及び剥離シート１１Ｃを繰り出す繰出手段２８とを備えて構成されている。
【００１７】
前記支持手段２５は、ロール状に巻回された捕虫シート１１の回転中心軸位置に設けられた支持軸３０を備え、この支持軸３０は、前記右側の側面フレーム２１を上方に延長して形成されるブラケット部３１に片持ち支持されている。支持軸３０は、前記繰出手段２８の作動により、ロール状の捕虫シート１１を回転させて剥離手段２６側へ繰り出すようになっている。
【００１８】
前記剥離手段２６は、支持手段２５からその下方に位置するガイドローラ３３を通過した捕虫シート１１の剥離シート１１Ｃを折り返し、当該剥離シート１１Ｃを上方へ導く剥離用ローラ３４を備えている。剥離用ローラ３４は、前記ブラケット部３１により片持ち支持されている。剥離用ローラ３４により剥離された剥離シート１１Ｃは、前後一対の上ガイドローラ３５に巻回されて回収手段２７へ案内される。また、剥離シート１１Ｃが剥離された後の基材シート１１Ａは、未使用の接着剤層１１Ｂを表出しつつ案内手段１５に沿って誘引手段１２の前後両側を通過し、回収手段２７へ案内される。
【００１９】
前記回収手段２７は、前記ブラケット部３１により片持ち支持された単一の巻取軸３７により構成され、この巻取軸３７は、前記繰出手段２８の作動により図２中矢印Ｒ１方向に回転可能となっている。
【００２０】
前記繰出手段２８は、前記支持軸３０及び巻取軸３７にそれぞれ連結されたプーリ３９、４０と、これらプーリ３９、４０に掛け回されたベルト４１と、前記巻取軸３７に連結された操作ハンドル４２とを備えて構成されている。
【００２１】
前記案内手段１５は、誘引手段１２の前後両側において、上下に所定間隔を隔てて複数設けられた棒状部材４４を備えている。各棒状部材４４のうち、最下位の二本の棒状部材４４は、前記各側面フレーム２１、２２の内面に連結され、それ以外の棒状部材４４は、各側面フレーム２１、２２に連結されて前後に延びる支持体４５を介して支持されている。各棒状部材４４は、基材シート１１Ａの接着剤層１１Ｂとは反対の面に当接可能に設けられ、基材シート１１Ａが誘引手段１２側に撓んだり、ばたつくことを抑制できるようになっている。また、各棒状部材４４は、基材シート１１Ａを剥離用ローラ３４から誘引手段１２の後側を下方に向かって導いた後、誘引手段１２の前側で上方へ繰り出すようにガイドする。これにより、基材シート１１Ａの接着剤層１１Ｂは、誘引手段１２を挟む二面すなわち前後両面側に表出することとなる。
【００２２】
前記捕虫器１０は、図１に示される状態から、蛍光灯１８を発光させると、その光は、基材シート１１Ａ及び接着剤層１１Ｂを透過して外部に発せられる。すると、その光に誘引されて虫が蛍光灯１８に近付くように飛来し、接着剤層１１Ｂに接触した虫が当該接着剤層１１Ｂに接着されて捕獲される。
【００２３】
そして、一定期間捕虫を行った後、未使用の接着剤層１１Ｂを前後両側に表出させる場合、前記繰出手段２８の操作ハンドル４２を回転操作する。これにより、巻取軸３７が図２中矢印Ｒ１方向に回転するとともに、支持軸３０が同図中Ｒ２方向に回転し、基材シート１１Ａ及び剥離シート１１Ｃが巻き取られて回収される。この巻き取りにより、支持軸３０に支持されたロール状の捕虫シート１１が下方に繰り出され、剥離用ローラ３４を通過する時に剥離シート１１Ｃが順次剥離される。これと同時に、未使用の接着剤層１１Ｂが表出した後、誘引手段１２の前後に位置する基材シート１１Ａが各棒状部材４４に案内されて図２中矢印Ｓ１方向に繰り出される。
【００２４】
以上のように、捕虫器１０において、単一の駆動源として操作ハンドル４２を回転することにより、剥離シート１１Ｃの剥離及び回収と、誘引手段１２の前後両側への未使用の接着剤層１１Ｂのセットと、使用済みの基材シート１１Ａの回収とを同時に行えるようになる。
【００２５】
ここで、基材シート１１Ａ及び剥離シート１１Ｃの巻き取りを図４を用いて更に詳述すると、支持軸３０から捕虫シート１１を所定長さ引き出し、基材シート１１Ａを棒状部材４４に掛け回し、巻取軸３７に固定する。一方、剥離シート１１Ｃは、剥離用ローラ３４、上ガイドローラ３５に掛け回し、基材シート１１Ａと同様に巻取軸３７に固定する。巻取軸３７が同図中矢印Ｒ１方向に回転することにより、使用済みの基材シート１１Ａが同図中矢印Ｓ１方向に進行し、接着剤層１１Ｂが内側に向けられるように巻き取られる。これと同時に、剥離シート１１Ｃが同図中矢印Ｓ２方向に進行して巻き取られるが、同図中符号Ｐで示す位置、すなわち、基材シート１１Ａの巻き取りが開始される位置で、接着剤層１１Ｂに剥離シート１１Ｃが再度仮着され、基材シート１１Ａ及び剥離シート１１Ｃを重ねた状態で同時に巻き取りが行われる。
【００２６】
従って、このような実施形態によれば、巻取軸３７に巻き取られた捕虫シート１１の外観において、接着剤層１１Ｂに捕獲された虫が剥離シート１１Ｃで隠れて見えないようにすることができる。これにより、巻き取られた捕虫シート１１が不衛生に見えたりすることを回避できるばかりでなく、利用者に清潔な印象を付与することが可能となる。また、巻取軸３７を単一としたので、回収手段２７の構造を簡単にすることができる他、使用済みの基材シート１１Ａ及び剥離シート１１Ｃを単一のロール体として廃棄作業の簡便化を図ることが可能となる。更に、接着剤層１１Ｂが蛍光灯１８の前後両側に位置するので、その光を広範囲に発することができ、捕虫シート１１に効率良く虫を誘引することが可能となる。
【００２７】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２８】
例えば、誘引手段１２は、虫を誘引する作用を奏する限りにおいて種々の変更が可能であり、匂いや音等で誘引可能なものであってもよく、蛍光等１８に代替、若しくは、蛍光灯１８と併用することができる。また、紫外線の光源は蛍光灯１８に替えてＬＥＤ（発光ダイオード）等の他の発光源によって構成してもよい。
【００２９】
また、案内手段１５として複数の棒状部材４４を用いたが、当該棒状部材４４と同様の作用を奏する限りにおいて、側面フレーム２１、２２間に光を透過可能な樹脂板等を設けてもよい。
【００３０】
更に、前記支持軸３０及び巻取軸３７の少なくとも一つに、前述した繰り出し方向に逆行する方向に進行することを規制する逆転防止手段を設けてもよい。この逆転防止手段としては、ラチェット機構や、各軸に対するピン止め構造、ワンウェイクラッチ構造が例示できる。
【００３１】
また、本実施形態では、捕虫シートとして３層構造の積層シートを用いて図示、説明したが、４層以上の積層シートであってもよい。
【００３２】
更に、捕虫器１０は、自立タイプに限られず、壁や天井等に取り付け可能な構成としてもよい。
【図面の簡単な説明】
【００３３】
【図１】実施形態に係る捕虫器の概略正面図。
【図２】図１のＢ−Ｂ線に沿う断面図。
【図３】（Ａ）は、捕虫シートの正面図であり、（Ｂ）は、（Ａ）のＣ−Ｃ線に沿う断面図である。
【図４】巻取軸による巻き取り要領を示す概略斜視図。
【符号の説明】
【００３４】
１０  捕虫器
１１  捕虫シート
１１Ａ  基材シート
１１Ｂ  接着剤層
１１Ｃ  剥離シート
１２  誘引手段
１３  保持手段
２６  剥離手段
２７  回収手段
３７  巻取軸
【図１】
2008193942.tif 000003
【図２】
2008193942.tif 000004
【図３】
2008193942.tif 000005
【図４】
2008193942.tif 000006